(57)【特許請求の範囲】
【請求項１】
左右の平面部の間に突条部を有した屋根に固定され取り付け物を固定する屋根上取り付け金具であって、
前記平面部のうち一方の平面部から他方の平面部へ前記突条部を跨ぐように設けられる支持体と、
該支持体に被さる挟持体を備え、
前記支持体が、前記突条部を挟んで対峙する一対の脚部と、これら脚部の上部を連結する連結部を有し、
前記挟持体が、前記脚部のうち一方の脚部の下端を受けるとともに係合して先端を前記突条部の一方側に当てる固定側挟持片と、前記取り付け物を支える受け部と、前記脚部のうち他方の脚部に向けて回動変形する可動部と、該可動部の下端に形成され前記可動部の回動で先端を前記突条部の他方側に当てる可動側挟持片を有し、
前記可動部にボルトを挿通するルーズホールが形成され、
前記他方の脚部に前記ボルトが螺合するねじ穴が形成された
屋根上取り付け金具。
【請求項２】
前記連結部と前記受け部の少なくとも一部に互いに面接触する接面部を有する
請求項１に記載の屋根上取り付け金具。
【請求項３】
前記一方の脚部の下端に内方に曲がる折曲部が形成され、
該折曲部の先端が前記固定側挟持片の先端に形成された起立片に当接する
請求項１または請求項２に記載の屋根上取り付け金具。
【請求項４】
前記他方の脚部が金属板を折り重ねて形成された
請求項１から請求項３のうちいずれか一項に記載の屋根上取り付け金具。
【請求項５】
前記他方の脚部の長さが、前記可動側挟持片の先端を前記突条部に対して当てた状態で下端を前記可動側挟持片の基部に接する長さである
請求項１から請求項４のうちいずれか一項に記載の屋根上取り付け金具。
【請求項６】
前記取り付け物を固定するための部材が前記挟持体の前記受け部における前記可動側挟持片を有する側に保持される
請求項１から請求項５のうちいずれか一項に記載の屋根上取り付け金具。
【請求項７】
請求項１から請求項６のうちいずれか一項に記載の屋根上取り付け金具を用いた
屋根構造。
【発明の詳細な説明】
【技術分野】
【０００１】
この発明は、たとえば馳締式の折板屋根などのような屋根の上に屋根板や設置物などの取り付け物を固定するのに好適な屋根上取り付け金具に関し、より詳しくは、小型でありながらも高い強度が得られるような屋根上取り付け金具に関する。
【背景技術】
【０００２】
折板屋根の上に折板を固定する屋根上取り付け金具として、下記特許文献１のように、小型化をはかったものがある。
【０００３】
この金具（吊子支持部材）は、折板屋根の山部における馳部と頂面に固定されるものであり、馳部を収容する断面逆凹字状の収容部と、この収容部の片側から水平に延びて頂面に接触する接面部を有する本体金具を備えている。本体金具の収容部における接面部と反対側の側面には、馳部に対する締め付けを行う締め付けボルトが保持され、接面部には、折板固定用の吊子を取り付けるための取り付けボルトが上に向けて固定されている。
【０００４】
締め付けボルトの先端は馳部の上部の巻き返し部より下の重ね合わせ部を押圧する。このため、馳部を挟み込むための構造を馳部よりも上に設ける必要がなく、固定時における金具の小型化を実現できる。
【０００５】
一方で、上からかかる荷重は、収容部を構成する金属板の端面と、接面部の下面に露出している取り付けボルトの頭部で支えることになり、上へ引っ張られる力に対しては、締め付けボルトの押圧力で維持しなければならない。また、金属板の端面やボルトの先端が折板に強く当たることによって、折板に傷がついてしまうことにもなる。
【０００６】
特許文献２には、折板屋根の上に太陽電池モジュールを固定する屋根上取り付け金具が開示されている。
【０００７】
この金具は、折板屋根の頂部又は凸部に跨った状態で取り付けられる本体金具（下面開口凹金物）と、本体金具の片側にボルトで連結される締め付け金具（上面開口凹金物）を有する。本体金具は折板の頂部又は凸部の一方側に圧着する圧着片を有しており、締め付け金具は頂部又は凸部の他方側に圧着する圧着片を有している。これら一対の圧着片がボルトの締め付けによって頂部又は凸部を圧着状態に挟み込むことによって、折板屋根に対する金具の固定がなされる。
【０００８】
この金具でも本体金具が折板の頂部又は凸部を覆って、頂部又は凸部の上端よりも低い位置で締め付けて固定するので、固定時の高さが低い小型化を実現できる。
【０００９】
特許文献２の金具と同様の金具は、特許文献３にも開示されている。特許文献２、３いずれの金具でも、折板屋根の馳部等を挟持する一対の挟持片を一対の部材にそれぞれ備え、それら一対の部材を折板屋根の馳部等の高さに位置するボルトを用いて締め付けて固定するので、固定時の高さを低く抑えられる。そのうえボルトで直接締め付けるのではないので折板に傷を付けにくいという利点がある。
【００１０】
特許文献２、３の金具と同様の構成で折板を固定する金具としては、下記特許文献４、５も開示されている。
【００１１】
しかし、特許文献２、３、４、５いずれの金具でも、挟持片を有する一対の部材は１本のボルトで連結されている構成であるので、ボルトに集中してせん断荷重がかかる。特許文献３の金具は一対の部材の上端部に互いにスライド可能に重なり合う天板材を有するものの、ボルトにかかる荷重を効果的に分散するものではない。
【先行技術文献】
【特許文献】
【００１２】
【特許文献１】特許第５０４３３７５号公報
【特許文献２】特許第３２９９８７７号公報
【特許文献３】特許第４２５２９７３号公報
【特許文献４】意匠登録第１４３５４４９号公報
【特許文献５】意匠登録第１４３５４５０号公報
【発明の概要】
【発明が解決しようとする課題】
【００１３】
そこでこの発明は、固定時の高さを低くする小型化が実現できる上に、一部に集中しやすい荷重を効果的に分散して強度を高められるようにすることを主な目的とする。
【課題を解決するための手段】
【００１４】
そのための手段は、左右の平面部の間に突条部を有した屋根に固定され取り付け物を固定する屋根上取り付け金具であって、前記平面部のうち一方の平面部から他方の平面部へ前記突条部を跨ぐように設けられる支持体と、該支持体に被さる挟持体を備え、前記支持体が、前記突条部を挟んで対峙する一対の脚部と、これら脚部の上部を連結する連結部を有し、前記挟持体が、前記脚部のうち一方の脚部の下端を受けるとともに係合して先端を前記突条部の一方側に当てる固定側挟持片と、前記取り付け物を支える受け部と、前記脚部のうち他方の脚部に向けて回動変形する可動部と、該可動部の下端に形成され前記可動部の回動で先端を前記突条部の他方側に当てる可動側挟持片を有し、前記可動部にボルトを挿通するルーズホールが形成され、前記他方の脚部に前記ボルトが螺合するねじ穴が形成された屋根上取り付け金具である。
【００１５】
この構成では、支持体を挟持体の中に納めた屋根上取り付け金具を屋根の突条部に覆い被せるように載置して、挟持体のルーズホールを通して支持体のねじ穴に螺合したボルトを締め付けると、挟持体の可動部が回動変形して、挟持体の固定側挟持片と可動側挟持片の先端が突条部を挟持し、固定側挟持片と可動側挟持片は屋根の左右の平面部の上にそれぞれ接触する。この固定状態において支持体は、一対の脚部と連結部で上からかかる荷重を支えるとともに、ボルトによる締め付け力を固定側挟持片に伝達する。挟持体も上からかかる荷重を受け部などで支えるとともにボルトと支持体からの締め付け力により突条部を挟持する。
【００１６】
上へ引っ張られる荷重が作用した場合には、挟持体は引っ張られて、荷重はボルトと可動側挟持片と固定側挟持片に伝達されるとともに、ボルトを介して支持体の他方の脚部に伝わり、この脚部から連結部、一方の脚部、固定側挟持片と分散される。そのうえ、一方の脚部は固定側挟持片に係合しているので、上へ引っ張る荷重は締め付け力を発揮することになり、強固に固定状態を維持できる。
【００１７】
また挟持体の可動部は材料が有する形状保持力に抗して変形して可動側挟持片による挟持を行わせるので、ボルトの緩みを抑制する作用も果たす。
【発明の効果】
【００１８】
以上のようにこの発明によれば、固定時の高さを低くする小型化を実現できる上に、一部に集中しやすい荷重を効果的に分散して強度を高められる。
【図面の簡単な説明】
【００１９】
【図１】屋根上取り付け金具の斜視図。
【図２】屋根上取り付け金具の使用例を示す正面図。
【図３】屋根上取り付け金具の使用例を示す正面図。
【図４】屋根上取り付け金具の分解斜視図。
【図５】屋根上取り付け金具と吊子の斜視図。
【図６】屋根板取り付け金具の固定方法を示す正面図。
【図７】屋根板取り付け金具の固定状態の断面図。
【図８】他の例に係る屋根板取り付け金具の斜視図。
【図９】図８に示した屋根板取り付け金具の一部を分離した状態の断面図。
【図１０】断熱部材の他の例を示す断面図と平面図。
【図１１】他の例に係る屋根板取り付け金具の固定状態の断面図。
【発明を実施するための形態】
【００２０】
この発明を実施するための一形態を、以下図面を用いて説明する。
【００２１】
この発明の屋根上取り付け金具（以下、「取り付け金具」という）は、左右の平面部の間に突条部を有した屋根に固定されるもので、改修の目的で取り付け物としての屋根板を固定したり、機能付与の目的で取り付け物としての太陽電池パネルや雪止めなどの設置物を固定したりするのに使用される。
【００２２】
取り付け金具１１の一例の斜視図を図１に示す。この取り付け金具１１は、図２、図３に示したように、下葺屋根５１としての折板屋根６１に取り付けられて上葺屋根５２としての折板屋根６１のための折板６１ａを固定するのに適したものである。図２は丸馳式の折板屋根６１、図３は角馳式の折板屋根６１の例であり、これらの図に示すように、取付け金具１１は馳部６１ｂの形態に関わらず使用することができる。
【００２３】
屋根について付言すると、一例である前述の折板屋根６１は山部と谷部を繰り返す波形で、山部の頂面に、左右の平面部６１ｂ，６１ｃと、これらに挟まれた突条部としての馳部６１ｂを有する。平面部６１ｂ，６１ｃは、図示例では水平に描いたが、傾斜しているものもある。屋根は馳式の折板屋根のほか、嵌合式の折板屋根や瓦棒屋根、立平屋根などであってもよい。
【００２４】
図１に示したように取り付け金具１１は、折板屋根６１の平面部６１ｃ，６１ｄのうち一方の平面部６１ｃから他方の平面部６１ｄへ馳部６１ｂを跨ぐように設けられる支持体１２と、支持体１２に被さり折板６１ａ固定用の固定具である吊子７１を取り付ける挟持体１３と、これらを結合する締結ボルト１４を備えている。支持体１２と挟持体１３は金属板をプレスして形成される。
【００２５】
支持体１２は、図４にも示したように、正面視略逆凹字形であり、馳部６１ｂを挟んで平行または略平行に対峙する一対の脚部２１，２２と、これら脚部２１，２２の上部を連結する連結部２３を有し、所定幅をなす１枚の帯状の金属板で形成されている。一対の脚部２１，２２のうち一方（図面左側、折板屋根６１の葺成方向上流側）の脚部２１は、下に延びた下端に、内方に曲がる折曲部２１ａを有している。折曲部２１ａの角度や長さは、他の部位の構造などに合わせて適宜設定される。
【００２６】
一対の脚部２１，２２のうち他方（図面右側、折板屋根６１の葺成方向下流側）の脚部２２は、一方の脚部２１と略同じ高さに設定され、金属板を折り重ねに形成されている。つまり、材料である金属板を連結部２３の端から下にのばした後、所定の長さで折り返して上にのばし、重ね合わせた構成である。折り返す方向は内方でも外方でもよいが、図示例では外方に折り曲げた例を示している。
【００２７】
このような他方の脚部２２には前述の締結ボルト１４が螺合するねじ穴２２ａが形成されている。ねじ穴２２ａの形成位置は脚部２２の幅方向中間位置であって上下方向の略中間位置であり、支持体１２が馳部６１ｂを包囲した時に締結ボルト１４が馳部６１ｂの横に位置して、締結ボルト１４が位置する高さを低く抑えられる高さである。
【００２８】
一対の脚部２１，２２を連結する連結部２３は水平に形成され、左右方向の中間部に段差部２３ａを有している。段差部２３ａは、段差部２３ａより折板屋根６１の葺成方向下流側（図面右側）の部分（低天板部２３ｂ）の高さを、段差部２３ａより折板屋根６１の葺成方向上流側（図面左側）の部分（高天板部２３ｃ）よりも若干低くする。連結部２３の一部である高天板部２３ｃの一部は、挟持体１３に対して下から接して面接触する接面部２４である。連結部２３と左右の脚部２１，２２との間の角部分には補強リブ２５が、内側に打ち出して形成されている。
【００２９】
挟持体１３は、正面視形状が下方に開口を有する略Ｃ型鋼形状であり、水平にのびる上端の受け部３１と、受け部３１における折板屋根６１の葺成方向上流側（図面左側）の端から下にのびる垂下部３２と、この垂下部３２の下端から水平にのびる固定側挟持片３３と、受け部３１における折板屋根６１の葺成方向下流側（図面右側）の端から斜め下にのびる可動部３４と、可動部３４の下端に形成された可動側挟持片３５を有する。挟持体１３は支持体１２と同様に、所定幅をなす１枚の帯状の金属板で形成されている。挟持体１３の幅と支持体１２の幅は同一である。
【００３０】
受け部３１は固定具を取り付ける部分であり、固定具が前述のように吊子７１であって平らな面に固定されるので、受け部３１の左右方向の略中間位置に段差部３１ａが形成されている。段差部３１は、段差部３１より折板屋根６１の葺成方向下流側（図面右側）の部分（低天板部３１ｂ）を、段差部３１ａより折板屋根６１の葺成方向上流側（図面左側）の部分（高天板部３１ｃ）よりも低くする。低天板部３１ｂは吊子７１を固定する部分であり、折板６１aを固定するための固定具である取り付けボルト３６が先を受けに向けてかしめ固定されている。
【００３１】
取り付けボルト３６の長さは、取り付けボルト３６の先端が受け部３１の最も高い位置、つまり高天板部３１ｃの高さ以下となるように設定される。
【００３２】
受け部３１の左右方向の長さは、支持体１２の左右方向の長さよりも長い。山部を有する折板屋根６１に固定するので、固定した時に山部の頂面に収まる左右方向の長さであるのが好ましい。
【００３３】
また受け部３１の一部である低天板部３１ｂの一部は、支持体と互いに面接触する接面部３７である。このため、支持体１２の段差部２３ａの段差は、挟持体１３の受け部３１の下面に露出する取り付けボルト３６の頭部３６ａの厚さに対応する高さである。
【００３４】
垂下部３２は、支持体１２の一方の脚部２１より外側に位置する板状のもので、一方の脚部２１よりも高さが高く形成されている。
【００３５】
固定側挟持片３３は、内方にのびる先端部に支持体１２の一方の脚部２１の下端、具体的には折曲部２１ａを受けるとともに係合する係合部３３ａを有して、先端を馳部６１ｂの一方側、つまり馳部６１ｂにおける折板屋根６１の葺成方向上流側（図面左側）の側面に当てる挟圧面３３ｂとしている。固定側挟持片３３の先端は正面視横Ｌ字形になるように先を上に向けて曲がる起立片３３ｃを有する。この起立片３３ｃに対して支持体１２の一方の脚部２１の下端における折曲部２１ａの先端が当接して、前述の係合状態が得られる。
【００３６】
受け部３１の段差部３１ａから垂下部３２と、固体側挟持片３３の垂下部３２側の部分には、内面側に膨出する一連の補強リブ３８が形成されている。
【００３７】
可動部３４は支持体１２の一対の脚部２１，２２のうち他方の脚部２２に向けて回動変形するものであり、おおよそ垂下部３２の長さから段差部３１ａの高さを引いた長さに設定されている。可動部３４と受け部３１との境界部分には貫通穴３９が形成されている。貫通穴３９は、可動部３４を斜めの姿勢から下方に回転させる変形性を持たせるためのもので、適宜の形状で適宜数形成されている。
【００３８】
可動部３４の幅方向における中間位置には締結ボルト１４を挿通するルーズホール３４ａが形成されている。ルーズホール３４ａは、可動部３４がのびる方向に長く形成される。ルーズホール３４ａの長さは、支持体１２のねじ穴２２ａに締結ボルト１４を螺合して可動部３４が支持体１２に接する方向へ回動変形するのを許容する長さである。
【００３９】
可動側挟持片３５は、可動部３４から直角、又は直角よりも若干小さい角度で連続し、先端に、正面視横Ｌ字形になるように先を上に向けて曲がる起立片３５ａを有する。可動側挟持片３５の長さは、可動部３４が回動して垂下姿勢になると内方にのびて先端の起立片３５ａを馳部６１ｂの他方側、つまり馳部６１ｂにおける折板屋根６１の葺成方向下流側（図面右側）の側面に当てる長さであり、起立片３５ａの先端を挟圧面３５ｂとしている。
【００４０】
可動部３４の長さに関連して付言すると、支持体１２における他方の脚部２２の長さは、可動側挟持片３５の先端を馳部６１ｂに対して当てた状態で下端を可動側挟持片３５の基部に接する長さである。
【００４１】
図４中、４１はスプリングワッシャ、４２はワッシャである。
【００４２】
このような構成の取り付け金具１１は、図５に示したように支持体１２を挟持体１３の内側に保持して締結ボトル１４で連結し、必要な形状の吊子７１を固定して使用する。図５に実線で示した丸馳式の吊子７１は取り付け金具１１に予め固定しておくが、仮想線で示した角馳式の吊子７１の場合には、取り付け金具１１を折板屋根６１に固定して取り付ける。
【００４３】
吊子７１の固定に際しては受け部３１の取り付けボルト３６に吊子７１の貫通穴７１ａを挿嵌してナット３６ｂで締め付けるが、ナット３６ｂの下に補助金具７２を取り付けるとよい。補助金具７２としては、図５に示したような複数種類のものがある。
【００４４】
図示例の一つの補助金具７２ａは、吊子７１の水平面部７１ｂの上面に重なる押さえ板部７３と、押さえ板部７３における吊子７１の垂直面部７１ｃに沿って起立する起立部７４を有するものである。図５中、７５は貫通穴で、７６は補強リブである。この補助金具７２ａは、押さえ板部７３と起立部７４が吊子７１を強固に押さえつける。
【００４５】
他の補助金具７２ｂは、吊子７１の水平面部７１ｂの上面に重なる押さえ板部７３と、押さえ板部７３における吊子７１の垂直面部７１ｃと直交する方向の２辺から上にのび、上端に外方に広がる受け片７７を有するものである。受け片７７の上面の高さは、吊子７１を固定した時に挟持体１３の受け部３１の最も高さの高い部分である高天板部３１ｃの高さと同じ高さにする。この補助金具７２ｂは、押さえ板部７３が吊子７１を強固に押さえつけるとともに、受け片７７が折板６１ａを支える。
【００４６】
折板屋根６１に対して取り付け金具１１を固定するには、図６に示したように取り付け金具１１を折板屋根６１の馳部６１ｂに対して嵌めるようにして載置する。続いて締結ボルト１４を締める。すると、挟持体１３の可動部３４が支持体１２の他方の脚部２２に接近する方向に回動し、これに伴って可動側挟持片３５が固定側挟持片３３に向けて前進し、図７に示したように、可動側挟持片３５と固定側挟持片３３の先端の挟圧部３５ｂ，３３ｂが折板屋根６１の馳部６１ｂを挟持するとともに、可動側挟持片３５と固定側挟持片３３がそれぞれ折板屋根６１の左右の平面部６１ｄ，６１ｃに面接触する。
【００４７】
このように挟持体１３の固定側挟持片３３と可動側挟持片３５が折板屋根６１の平面部６１ｃ，６１ｄに接しつつ馳部６１ｂを挟持する固定状態は、締結ボルト１４が挟持体１３の可動部３４を支持体１２における他方の脚部２２に接近させる方向に締め付けることによって維持される。締結ボルト１４の緊結により、支持体１２における一方の脚部２２が挟持体１３の固定側挟持片３３を馳部６１ｂに向けて牽引しつつ、可動側挟持片３５を馳部６１ｂに対して押しつける。
【００４８】
一方の脚部２１の下端には折曲部２１ａが形成されているので強度が高く、この折曲部２１ａが固定側挟持片３３の起立片３３ｃと係合するので、馳部６１ｂに圧接する部分の強度はさらに高くなり、強い挟持力を発揮できる。
【００４９】
挟持状態は締結ボルト１４の螺合によって維持されるが、締結ボルト１４が螺合するねじ穴２２ａは、金属板を二重にした他方の脚部２２に形成されているので、バーリングしてからねじを形成した場合と比べて、ねじ山を多く得ることができるとともに、二重に重なった金属板の変形が抑制される効果もある。このため、可動側挟持片３５による挟圧を確実なものとするとともに、挟圧状態を強力に維持できる。
【００５０】
取り付け金具１１は折板屋根６１の馳部６１ｂを収容し、馳部６１ｂの横位置で締め付ける締結ボルト１４によって折板屋根６１に対する固定を行うので、取り付け金具１１の固定時の高さを低くすることができる。
【００５１】
また、馳部６１ｂに対する挟持は挟持体１３の一部を用いて行い、締結ボルト１４で直接押圧することはないので、折板６１ａに傷をつけずに済む上に、広い範囲で挟持可能で挟持強度を高めることができる。しかも、挟持体１３の可動部３４を締結ボルト１４による締め付けで回動変形させて可動側挟持片３５による挟持を行わせるので、締結ボルト１４を緩みににくくすることができ、この点からも強力な挟持状態を維持できる。
【００５２】
そして固定状態において上からの荷重がかかった場合には、挟持体１３が受け部３１などで荷重を支えるとともに、内側に位置する支持体１２が一対の脚部２１，２２と連結部２３で挟持体１３にかかる荷重を支える。このときに、支持体１２の一対の脚部２１，２２の下端は挟持体１３に接触しているとともに、支持体１２と挟持体１３の接面部２４，３７も互いに面接触している。さらに、支持体１２の連結部２３における低天板部２３ｃも取り付けボルト３６の頭部３６ａと接している。このため、良好に分散しながら荷重を受けることができる。
【００５３】
上へ引っ張られる荷重が作用した場合には、挟持体１３の受け部３１は吊子７１を介して引っ張られて、荷重は締結ボルト１４と可動側挟持片３５と固定側挟持片３３に伝達されるとともに、締結ボルト１４を介して支持体１２の他方の脚部２２に伝わる。そして荷重は、主に他方の脚部２２から連結部２３、一方の脚部２１、固定側挟持片３３へと分散される。そのうえ、一方の脚部２１は固定側挟持片３３に係合しているので、上へ引っ張る荷重は締め付け力を発揮することになり、強固な固定状態を維持できる。
【００５４】
しかも、吊子７１と取り付けボルト３６は受け部３１における可動側挟持片３５を有する側である低天板部３１ｂに保持される構成であるので、上へ引っ張られる荷重を即座に支持体１２に伝達することができる。このため荷重分散と強固な固定が効果的になされる。
【００５５】
このように小型化をはかりながらも、荷重を良好に分散できるので固定強度を高めることができる。
【００５６】
以下、その他の例について説明する。この説明において前述例の構成と同一の部位ついては同一の符号を付してその詳しい説明を省略する。
【００５７】
図８に示した取り付け金具１１は挟持体１３の受け部３１に断熱のための樹脂部材８１を備えたものである。取り付け金具１１の構成は受け部３１の寸法以外に変更はない。
【００５８】
樹脂部材８１は、図９に示したように、挟持体１３の受け部３１の上面に添う高位置面部８２と低位置面部８３とこれらをつなぐ段差部８４を有する形状で、これらの幅方向の両側に挟持体１３の前後両面を覆う縁部８５が形成されている。低位置面部８３における取り付けボルト３６に対応する位置には、取り付けボルト３６を挿通する挿通穴８６が形成される。
【００５９】
この挿通穴８６は、通常ではボルトがゆったりと挿入される大きさに設定されるが、ここでは、取り付けボルト３６との間にクリアランスをほとんど有しない大きさに設定される。つまり、取り付けボルト３６の直径ｄ１と挿通穴８６の直径ｄ２はほとんど同一か同一、又は取り付けボルトの直径ｄ１の方が挿通穴８６の直径ｄ２よりも僅かに大きい。具体的には、取り付けボルト３６の直径よりも大きな大径穴８６ａを形成し、この大径穴８６ａの厚み方向の一部に、取り付けボルト３６の直径に近い大きさの挿通穴８６を形成する規制片８６ｂを有している。
【００６０】
つまり、断熱部材８１の規制穴８６と取り付けボルト３６に力をかけて相対移動して嵌め合わせると、断熱部材８１が挟持体１３の上面に嵌り、たとえ逆さにしても振っても断熱部材８１が挟持体１３から外れずに嵌合状態を維持でき、力を加えて断熱部材８１を挟持体１３から分離すれば外れる状態である。
【００６１】
このため、断熱部材８１を有する構成であっても、簡素な構成で取り扱い易さを享受することができる。
【００６２】
規制片８６ｂについては、例えば図１０に示したように、大径穴８６ａの厚み方向の上に位置させることも（図１０（ａ）参照）、大径穴８６ａの厚み方向の下に位置させることも（図１０（ｂ）参照）できる。また、規制片８６ｂは取り付けボルト３６の平面視形状に対応させて円形に配置して挿通穴８６を形成してもよい（図１０（ｃ）参照）。
【００６３】
図１１は、吊子７１を固定するための取り付けボルト３６を挟持体１３ではなく支持体１２に備える取り付け金具１１の例を示している。
【００６４】
取り付け金具１１の支持体１２は、他方の脚部２２の形成にあたって金属板を下端位置で折り返す方向を内方にするとともに、吊子７１を固定する取り付けボルト３６を螺合する位置まで金属板をのばしている。これによって金属板が二重になった部分が他方の脚部２２と連結部２３に形成されることになり、それぞれにねじ穴２２ａ，２３ｄが形成される。他方の脚部２２のねじ穴２２ａは締結ボルト１４のためのもので、受け部２３のねじ穴２３ｄは取り付けボルト３６のためのものである。吊子７１は上から下に向けて螺合する取り付けボルト３６で固定する。
【００６５】
このように構成された取り付け金具でも、前述と同様の作用効果を得られる。そのうえ、吊子７１を取り付ける取り付けボルト３６が上へ引っ張られる荷重を挟持体１３だけではなく支持体１２にも直接伝達するので、荷重の分散がより良好に行える。また取り付けボルト３６が支持体１２における他方の脚部２２を構成する金属板に連なる重なり合い部分に螺合しているので、取り付けボルト３６が他方の脚部２２の形状を保持する機能も果たす。このため、取り付け金具１１自体と取り付け金具１１の折板屋根６１に対する固定状態の一層の強度向上を図ることができる。
【００６６】
この発明の構成と前述の構成との対応において、  
この発明の取り付け物は前述の折板６１ａに対応し、  
以下同様に、  
突条部は馳部６１ｂに対応し、  
ボルトは締結ボルト１４に対応し、  
取り付け物を固定するための部材は取り付けボルト３６と吊子７１に対応するも、  
この発明は前述の構成のみに限定されるものではなく、その他の構成を採用することもできる。
【００６７】
たとえば、取り付け物を固定するための固定具は吊子７１と取り付けボルト３６のほか、ボルト、剣先ボルトなどであってもよく、屋根上取り付け金具１１で固定する物（取り付け物）に応じて適宜設定される。このため接面部２４，３７は、連結部２３の上面全体と、これに対向する受け部３１の一部であってもよい。また固定具は、支持体１２と挟持体１３のいずれに備えてもよい。
【００６８】
また、支持体１２と挟持体１３は、一枚の金属板で形成するだけではなく、複数の部材を組み付けて構成してもよい。
【符号の説明】
【００６９】
１１…屋根板取り付け金具
１２…支持体
１３…挟持体
１４…締結ボルト
２１…一方の脚部
２１ａ…折曲部
２２…他方の脚部
２２ａ…ねじ穴
２３…連結部
２４…接面部
３１…受け部
３３…固定側挟持片
３３ｂ…挟圧面
３３ｃ…起立片
３４…可動部
３４ａ…ルーズホール
３５…可動側挟持片
３５ｂ…挟圧面
３７…接面部
６１ａ…折板
６１ｂ…馳部
６１ｃ，６１ｄ…平面部
【要約】
【課題】高さを低くする小型化を可能としつつ、荷重を効果的に分散して強度を高められるようにする。
【解決手段】屋根に固定され、屋根板や太陽電池パネルなどの取り付け物を固定する屋根上取り付け金具において、屋根の馳部を跨ぐように設けられる支持体１２と、支持体１２に被さる挟持体１３を備える。支持体１２に、馳部を挟んで対峙する一対の脚部２１，２２と、これらの上部を連結する連結部２３を形成する。挟持体１３に、一方の脚部２１の下端を受けるとともに係合して先端を馳部の一方側に当てる固定側挟持片３３と、取り付け物を支える受け部３１と、他方の脚部２２に向けて回動変形する可動部３４と、可動部３４の下端に形成され可動部３４の回動で先端を馳部の他方側に当てる可動側挟持片３５を形成する。そして可動部３４に締結ボルト１４を挿通するルーズホール３４ａを形成し、他方の脚部２２に締結ボルト１４が螺合するねじ穴２２ａを形成する。
【選択図】図１【図１】
0006000483.tif 000002
【図２】
0006000483.tif 000003
【図３】
0006000483.tif 000004
【図４】
0006000483.tif 000005
【図５】
0006000483.tif 000006
【図６】
0006000483.tif 000007
【図７】
0006000483.tif 000008
【図８】
0006000483.tif 000009
【図９】
0006000483.tif 000010
【図１０】
0006000483.tif 000011
【図１１】
0006000483.tif 000012